(57)【要約】【課題】高いクッション性によって良好な装着感が得られると共に、着用時のヨレや皺の発生を低減することができる吸収性物品の提供。【解決手段】本発明の吸収性物品１において吸収性コア４０は、第二領域４０Ｍに、横方向Ｙの中央部に中央高坪量部４１を備え、且つ該中央高坪量部４１を挟む横方向外側の両側それぞれに、中央高坪量部４１よりも縦方向Ｘの長さが短い、一対の側方高坪量部４２を備える。これら高坪量部４１，４２は、第一領域４０Ｆ側における坪量よりも坪量が大きい。中央高坪量部５１は非肌側シート３側に突出している。側方高坪量部４２は、平面視において、前端縁４２ａが中央高坪量部４１の前方側縁４１ｓａと屈曲部を有し、且つ後端縁４２ｂが中央高坪量部の後方側縁４１ｓｂと屈曲部を有して横方向外側に配置されている。【選択図】図１
2019024948.tif 000002
【特許請求の範囲】
【請求項１】
肌側シートと、非肌側シートと、これら両シート間に介在された吸収性コアとを備え、着用者の前後方向に対応する縦方向と該縦方向に直交する横方向とを有し、前方区域及び後方区域を有する吸収性物品であって、
前記吸収性コアは、前記前方区域側に位置する第一領域と前記後方区域側に位置する第三領域との間に第二領域を有し、該第二領域に、前記横方向の中央部に配された中央高坪量部を備え、且つ該中央高坪量部を挟む前記横方向外側の両側それぞれに、該中央高坪量部よりも前記縦方向の長さが短い、一対の側方高坪量部を備えており、
前記中央高坪量部及び前記側方高坪量部は、前記第一領域における坪量よりも、坪量が大きく、
前記中央高坪量部は、前記非肌側シート側に突出しており、
前記側方高坪量部は、平面視において、該側方高坪量部の前端縁が該前端縁より前記第一領域側に位置する前記中央高坪量部の前方側縁と屈曲部を有し、且つ該側方高坪量部の後端縁が該後端縁より前記第三領域側に位置する前記中央高坪量部の後方側縁と屈曲部を有して前記横方向外側に配置されている、吸収性物品。
【請求項２】
前記側方高坪量部が、非肌側シート側に突出している、請求項１に記載の吸収性物品。
【請求項３】
前記側方高坪量部の厚みが、前記中央高坪量部の厚みに比して小さい、請求項１又は２に記載の吸収性物品。
【請求項４】
前記中央高坪量部と前記側方高坪量部とが、平面視において重なっておらず、且つ前記横方向に近接して配置されている、請求項１〜３の何れか１項に記載の吸収性物品。
【請求項５】
前記肌側シートの肌側面に、該肌側シート及び前記吸収性コアが前記非肌側シート側に凹陥してなる圧搾溝が、前記縦方向に延在しており、
前記中央高坪量部及び前記側方高坪量部の少なくとも一方と重なる位置に、前記圧搾溝が形成されている、請求項１〜４の何れか１項に記載の吸収性物品。
【発明の詳細な説明】
【技術分野】
【０００１】
本発明は、生理用ナプキン、失禁パッド等の吸収性物品に関する。
【背景技術】
【０００２】
身体へのフィット性の向上や液漏れ防止の観点から、生理用ナプキン等の吸収性物品について、該吸収性物品の吸収性コアの中央部分に坪量の大きい高坪量部が設けられたものが提案されている。例えば、本出願人は先に、吸収性コアの排泄部対向部及び後方部のそれぞれにおいて、幅方向の中央部に配された領域に厚みの厚い肉厚部を有している吸収性物品を提案している（特許文献１）。特許文献１には、周囲より厚い２つの高坪量部が前後方向に離間して配された吸収性物品が図示されている。
【０００３】
また、本出願人は先に、排泄部対向部の幅方向中央側に、その他の部分より厚みが大きい領域を有している吸収性物品を提案している（特許文献２）。特許文献２に記載の吸収性物品は、前記厚みの大きい領域が非肌側シート側に突出している。
【先行技術文献】
【特許文献】
【０００４】
【特許文献１】特開２０１６−０８６８７２号公報
【特許文献２】特開２０１５−０９７７１６号公報
【発明の概要】
【発明が解決しようとする課題】
【０００５】
特許文献１及び２に記載の吸収性物品は、高坪量部を有するため、良好なフィット性が奏されるが、着用者の大腿部によって左右両側からの圧力を受けて、吸収性物品の両側部が横方向に圧縮される際、厚みの厚い高坪量部を、着用者の身体に追従するよう変形させるためのクッション性に改善の余地があった。
【０００６】
したがって本発明は、前述した従来技術が有する欠点を解消し得る吸収性物品を提供することにある。
【課題を解決するための手段】
【０００７】
本発明は、肌側シートと、非肌側シートと、これら両シート間に介在された吸収性コアとを備え、着用者の前後方向に対応する縦方向と該縦方向に直交する横方向とを有し、前方区域及び後方区域を有する吸収性物品であって、前記吸収性コアは、前記前方区域側に位置する第一領域と前記後方区域側に位置する第三領域との間に第二領域を有し、該第二領域に、前記横方向の中央部に配された中央高坪量部を備え、且つ該中央高坪量部を挟む横方向外側の両側それぞれに、該中央高坪量部よりも前記縦方向の長さが短い、一対の側方高坪量部を備えており、前記中央高坪量部及び前記側方高坪量部は、前記第一領域における坪量よりも、坪量が大きく、前記中央高坪量部は、前記非肌側シート側に突出しており、前記側方高坪量部は、平面視において、該側方高坪量部の前端縁が該前端縁より第一領域側に位置する前記中央高坪量部の前方側縁と屈曲部を有し、且つ該側方高坪量部の後端縁が該後端縁より第三領域側に位置する前記中央高坪量部の後方側縁と屈曲部を有して横方向外側に配置されている、吸収性物品を提供するものである。
【発明の効果】
【０００８】
本発明によれば、高いクッション性が得られる。
【図面の簡単な説明】
【０００９】
【図１】図１は、本発明の吸収性物品の好ましい一実施形態である生理用ナプキンを肌側シート側から示す平面図である。
【図２】図２は、図１に示す生理用ナプキンの吸収性コアにおける非肌側面側の斜視図である。
【図３】図３は、図１のＩ−Ｉ線断面を模式的に示す断面図である。
【図４】図４は、本発明に係る吸収性コアの他の実施形態の図３相当図である。
【図５】図５は、図２に示す吸収性コアにおける中央高坪量部及び側方高坪量部を模式的に示す平面図である。
【図６】図６は、図２に示す吸収性コアにおける中央高坪量部、側方高坪量部及び各溝部を模式的に示す平面図である。
【図７】図７は、図３に示す吸収性物品を横方向の両側から圧力をかけた状態を模式的に示す断面図である。
【図８】図８は、図４に示す吸収性物品の図７相当図である。
【図９】図９は、図２に示す吸収性コアにおける非肌側面側を模式的に示す平面図である。
【図１０】図１０は、前方屈曲部及び後方屈曲部における角度を説明する図である。
【図１１】図１１（ａ）、（ｂ）は、図１に示す生理用ナプキンの備える吸収性コアの製造工程を説明する説明図である。
【図１２】図１２は、肌側シートにおけるエンボス部の形状及び配置パターンを示す平面図である。
【発明を実施するための形態】
【００１０】
以下、本発明の吸収性物品を、その好ましい一実施形態である生理用ナプキン１（以下、「ナプキン１」ともいう。）に基づき図面を参照して説明する。図１には、本実施形態のナプキン１を肌側シート側から視た平面図が示されている。本実施形態のナプキン１は、図１に示すように、肌側面に位置する肌側シート２と、非肌側面に位置する非肌側シート３と、これら両シート２，３間に介在された吸収性コア４０とを備え、着用者の前後方向に対応する縦方向Ｘと該縦方向Ｘに直交する横方向Ｙとを有し、前方区域Ａ及び後方区域Ｃを有する。ナプキン１は、図１に示すように、着用者の液排泄部に対向配置される中間区域Ｂと、該中間区域Ｂの縦方向Ｘの前後に配置された前方区域Ａ及び後方区域Ｃとに区分されている。
【００１１】
本明細書において、縦方向Ｘは着用者の前後方向に対応するとともに、吸収性物品（ナプキン１）の長手方向に一致し、横方向Ｙは吸収性物品（ナプキン１）の幅方向（長手方向に直交する方向）に一致している。したがって、特段の断りがない場合には、本明細書において、縦方向Ｘの長さは縦方向Ｘで測定される距離である「長さ」を意味し、横方向Ｙの長さは横方向Ｙで測定される距離である「幅」を意味する。ナプキン１は、縦方向Ｘに延びる中心線ＣＬに対して左右対称に形成されている。縦方向Ｘとは、中心線ＣＬに平行な方向でもある。また、本明細書において、肌側面は、吸収性物品（ナプキン１）又はその構成部材（例えば吸収体４）における、吸収性物品（ナプキン１）の着用時に着用者の肌側に向けられる面であり、非肌側面は、吸収性物品（ナプキン１）又はその構成部材（例えば吸収体４）における、吸収性物品（ナプキン１）の着用時に肌側とは反対側（着衣側）に向けられる面である。
【００１２】
ナプキン１は、図１に示すように、着用時に着用者の液排泄部（膣口等）に対向配置される中間区域Ｂと、該中間区域Ｂよりも着用者の腹側（前側）寄りに配される前方区域Ａと、該中間区域Ｂよりも着用者の背側（後側）寄りに配される後方区域Ｃとを有している。即ち、ナプキン１は、縦方向Ｘに、前方区域Ａ、中間区域Ｂ及び後方区域Ｃの順番で区分される。
【００１３】
尚、本発明の吸収性物品において、中間区域Ｂとは、本実施形態のナプキン１のようにウイング部１Ｗを有する場合には、縦方向Ｘにおいてウイング部１Ｗを有する領域（一方のウイング部１Ｗの縦方向Ｘに沿う付け根と他方のウイング部１Ｗの縦方向Ｘに沿う付け根とに挟まれた領域）を意味する。また、ウイング部を有しない吸収性物品の場合には、吸収性物品が３つ折りの個装形態に折り畳まれた際に生じる、該吸収性物品を横方向Ｙに横断する２本の折曲線（図示せず）について、該吸収性物品の縦方向Ｘの前端から数えて第１折曲線と第２折曲線とに囲まれた領域を意味する。
【００１４】
本実施形態のナプキン１は、図１に示すように、肌側面に位置する液透過性の肌側シート２、非肌側面を形成する非肌側シート３、及びこれら両シート２，３間に介在された吸収体４を具備している。吸収体４は、吸収性コア４０と、該吸収性コア４０を包むコアラップシート（不図示）とから構成されている。
【００１５】
図１に示すように、ナプキン１では、肌側シート２は吸収体４の肌側面の全域を被覆し、吸収体４の縦方向Ｘに沿う両側縁から横方向Ｙの外方に延出している。一方、非肌側シート３は吸収体４の非肌側面の全域を被覆し、更に肌側シート２の縦方向Ｘに沿う両側縁から横方向Ｙの外方に延出して、後述するサイドシート５と共にサイドフラップ部１Ｓを形成している。非肌側シート３とサイドシート５とは、吸収体４の縦方向Ｘに沿う両側縁からの延出部において、接着剤、ヒートシール、超音波シール等の公知の接合手段によって互いに接合されている。尚、肌側シート２及び非肌側シート３それぞれと吸収体４との間は接着剤によって接合されていてもよい。
【００１６】
図１に示すように、ナプキン１では、サイドシート５は肌側シート２の肌側面における縦方向Ｘに沿う両側部に配されている。好適には、サイドシート５は、平面視において肌側シート２の縦方向Ｘに沿う左右両側部に重なるように、肌側シート２の縦方向Ｘの全長に亘って配されている。図１に示すように、ナプキン１では、一対のサイドシート５，５は、それぞれ、波形状の接合部６にて肌側シート２に接合されている。接合部６の横方向Ｙ外側端よりも内方に、サイドシート５と肌側シート２とが接合されていない空間部が形成され、該空間部に横方向Ｙの中央から外方へ流れる経血等の体液を収容することができ、体液の漏れをより抑制することができる。
【００１７】
図１に示すように、ナプキン１では、サイドフラップ部１Ｓは中間区域Ｂにおいて横方向Ｙの外方に向かって大きく張り出しており、これによりナプキン１は、その縦方向Ｘに沿う左右両側に一対のウイング部１Ｗ，１Ｗを備えるようになる。また、肌側シート２及び非肌側シート３は、図１に示すように、吸収体４の縦方向Ｘの前端及び後端それぞれから縦方向Ｘの外方に延出し、それらの延出部において、接着剤、ヒートシール、超音波シール等の公知の接合手段によって、互いに接合されてエンドシール部を形成している。
【００１８】
図２に示すように、ナプキン１では、吸収体４を構成する吸収性コア４０はナプキン１の縦方向Ｘと同方向に長い形状を有する。したがって、吸収性コア４０の縦方向はナプキン１の縦方向Ｘと同方向であり、吸収性コア４０の横方向はナプキン１の横方向Ｙと同方向である。本実施形態の吸収性コア４０は縦方向Ｘの前方区域Ａ側に位置する第一領域４０Ｆ及び後方区域Ｃ側に位置する第三領域４０Ｒを有し、第一領域４０Ｆと第三領域４０Ｒとの間に第二領域４０Ｍを有している。本実施形態のナプキン１では、吸収性コア４０の第二領域４０Ｍは、中間区域Ｂに配置されている。以下、吸収性コア４０では、縦方向Ｘにおける第一領域４０Ｆ側を前側、第三領域４０Ｒ側を後側ともいう。ナプキン１では、各ウイング部１Ｗにおける縦方向Ｘに間隔を空けて配されたウイング部１Ｗの付け根どうし間に第二領域４０Ｍが存在している。
【００１９】
吸収性コア４０は、図２に示すように、第二領域４０Ｍに、横方向Ｙの中央部４０ＭＣに配された中央高坪量部４１を備え、且つ該中央高坪量部４１を挟む横方向外側の両側それぞれに、該中央高坪量部よりも縦方向Ｘの長さが短い、一対の側方高坪量部４２，４２を備えている。中央高坪量部４１及び側方高坪量部４２，４２は、第一領域４０Ｆにおける坪量よりも坪量が大きい。ここで第一領域４０Ｆにおける坪量とは、本実施形態のように第一領域４０Ｆが溝部４３Ｘ，４３Ｙを有している場合、該溝部４３Ｘ，４３Ｙを除いた部分の坪量を意味する。本実施形態において第一領域４０Ｆにおける坪量は、第一領域４０Ｆ内の小吸収部４６ａにおける坪量である。また、溝部４３は、後述する高坪量部４１，４２以外の部分に形成された溝部であり、本実施形態においては、縦方向Ｘに延びる縦溝部４３Ｘと、横方向Ｙに延びる横溝部４３Ｙとが形成されている。これら溝部４３Ｘ，４３Ｙを纏めて溝部４３ともいう。
【００２０】
本実施形態のナプキン１における中央高坪量部４１は、図２に示すように、吸収性コア４０の縦方向Ｘに長い縦長形状を有しており、第二領域４０Ｍから第三領域４０Ｃの一部に亘って延在している。中央高坪量部４１は第二領域４０Ｍのみに形成されていても良い。また、図１に示すように、ナプキン１において、中央高坪量部４１は中間区域Ｂから後方区域Ｃの一部に亘って延在していても良く、中間区域Ｂのみに配されていても良い。
本実施形態における一対の側方高坪量部４２，４２は、第二領域４０Ｍにおいて、中央高坪量部４１の縦方向Ｘに沿う両側縁それぞれから横方向Ｙ外方に延出して吸収性コア４０の縦方向Ｘに沿う両側縁にまで及んでいる。一対の側方高坪量部４２，４２は、それぞれ、中央高坪量部４１に比して縦方向Ｘにおける長さが短い。「縦方向Ｘにおける長さ」は、縦方向Ｘにおける中央高坪量部４１及び側方高坪量部４２それぞれの最大長さを意味する。
側方高坪量部４２，４２の前方側の端縁である前端縁４２ａは、図２に示すように、中央高坪量部４１の前端に比して吸収性コア４０の後方側に配されている。また、側方高坪量部４２，４２の後方側の端縁である後端縁４２ｂは、図２に示すように、中央高坪量部４１の後端に比して吸収性コア４０の前方側に配されている。中央高坪量部４１等の吸収性物品の各部について、「後端」は最も後方側に位置する端部を意味し、「前端」は最も前方側に位置する端部を意味する。尚、前方とは縦方向Ｘにおいて前方区域Ａ側を意味し、後方とは縦方向Ｘにおいて後方区域Ｃ側を意味する。
【００２１】
本実施形態のナプキン１において第二領域４０Ｍの中央高坪量部４１及び側方高坪量部４２は、図２に示すように、後述する溝部４１ｄ，４２ｄを除き、第二領域４０Ｍの前方に位置する第一領域４０Ｆにおける吸収性コア４０の厚みよりも厚みが厚くなっている。ここで第一領域４０Ｆにおける厚みとは、本実施形態のように第一領域４０Ｆが溝部４３Ｘ，４３Ｙを有している場合、該溝部４３Ｘ，４３Ｙを除いた部分の厚みを意味する。本実施形態において第一領域４０Ｆにおける厚みは、第一領域４０Ｆ内の小吸収部４６ａにおける厚みである。
本実施形態のナプキン１の吸収性コア４０は、コア材料の坪量に差を設けて厚み差を設けてあるため、吸収性コア４０全体としてより柔軟である。
【００２２】
本実施形態の吸収性コア４０における中央高坪量部４１は中央溝部４１ｄを有している。また、側方高坪量部４２も側方溝部４２ｄを有している。ここで中央溝部４１ｄと側方溝部４２ｄは、厚み方向Ｚに薄くても厚みを有する有底である場合と、吸収性コアの構成材料を全く存在せずに吸収性コアを貫通している場合の双方を含んでいる。ナプキン１では、中央溝部４１ｄ及び側方溝部４２ｄは、その底部の坪量が、第一領域４０Ｆにおける小吸収部４６の坪量よりも低くなっている。
【００２３】
本実施形態の吸収性コア４０の中央高坪量部４１は、図２に示すように、相対的に坪量が低い中央溝部４１ｄと相対的に坪量が高く中央溝部４１ｄで囲まれた複数の中央小吸収部４１ｋとを有するブロック構造が、縦方向Ｘに複数配されたブロック領域を有している。具体的には、中央高坪量部４１においては、中央溝部４１ｄによって区分された中央小吸収部４１ｋが吸収性コア４０の縦方向Ｘに沿って５個並び、吸収性コア４０の横方向Ｙに沿って中央小吸収部４１ｋが２個並んでおり、合計１０個の中央小吸収部４１ｋが形成されている。
中央溝部４１ｄは、吸収性コア４０の横方向Ｙに延びる横中央溝部４１ｄｙと、吸収性コア４０の縦方向Ｘに延びる縦中央溝部４１ｄｘとを有している。縦中央溝部４１ｄｘは、縦方向Ｘにおいて、第一領域４０Ｆから吸収性コア４０の後端まで延びる縦溝部４３Ｘと共に、縦方向Ｘにおける吸収性コア４０の全長に亘って連続する一直線の溝を形成している。中央溝部４１ｄは、横方向Ｙに延びる横中央溝部４１ｄｙとして、吸収性コア４０の縦方向Ｘに沿う一方の側縁４０ｓから他方の側縁４０ｓまで及ぶものと、中央高坪量部４１以外の部分において横方向Ｙに延びる横溝部４３Ｙと連続して一直線上に形成されているものとを有している。尚、縦中央溝部４１ｄｘ、及び横中央溝部４１ｄｙを纏めて中央溝部４１ｄともいう。
【００２４】
本実施形態の吸収性コア４０の側方高坪量部４２は、図２に示すように、相対的に坪量が低い側方溝部４２ｄと相対的に坪量が高く側方溝部４２ｄで囲まれた複数の側方小吸収部４２ｋとを有するブロック構造が、縦方向Ｘに複数配されたブロック領域を有している。具体的には、側方高坪量部４２においては、側方溝部４２ｄによって区分された側方小吸収部４２ｋが、縦方向Ｘに沿う中央高坪量部４１の両側縁それぞれに、吸収性コア４０の縦方向Ｘに沿って２個形成されている。本実施形態において側方溝部４２ｄは、横方向Ｙに延びる横側方溝部４２ｄｙ、及び側方溝部４２ｄの内方側縁に沿って形成されている縦側方溝部４２ｄｘである。尚、縦側方溝部４２ｄｘ、及び横側方溝部４２ｄｙを纏めて側方溝部４２ｄともいう。
【００２５】
中央高坪量部４１は、非肌側シート３側に突出している。本実施形態のナプキン１は、中央高坪量部４１及び側方高坪量部４２の何れもが、図３に示すように、非肌側シート３側、即ち非肌側面側に突出しているが、中央高坪量部４１のみが、非肌側シート３側に突出していても良い（図４参照）。
【００２６】
側方高坪量部４２の前端縁４２ａは、吸収性コア４０を非肌側面側から平面視した図５に示すように、該前端縁４２ａより前方に位置する中央高坪量部４１の前方側縁４１ｓａに対して屈曲部を有している。屈曲部を有するとは、中央高坪量部４１には前方側縁４１ｓａが存在しており、側方高坪量部４２の前端縁４２ａの向きが、前方側縁４１ｓａに対して非連続的に変わることを意味し、側方高坪量部４２の前端縁４２ａと、該前端縁４２ａよりも前方に位置する中央高坪量部４１の縦方向Ｘに沿う側縁４１ｓaとは、平面視において、これら前端縁４２ａと前方側縁４１ｓａとの間に角度θ１ａをなしている。したがって、「屈曲部を有する」形態には、前方側縁４１ｓａが横方向外側に膨出して側方高坪量部４２を成すことで前方側縁４１ｓａが存在しないものは含まれない。
また、側方高坪量部４２の後端縁４２ｂは、図５に示すように、該後端縁４２ｂより後方に位置する中央高坪量部４１の後方側縁４１ｓｂに対して屈曲部を有している。屈曲部は上記と同様に、中央高坪量部４１には後方側縁４１ｓｂが存在しており、側方高坪量部４２の後端縁４２ｂの向きが、後方側縁４１ｓｂに対して非連続的に変わることを意味し、側方高坪量部４２の後端縁４２ｂと、該後端縁４２ｂよりも後方に位置する中央高坪量部４１の縦方向Ｘに沿う側縁４１ｓｂとは、平面視において、これら後端縁４２ｂと後方側縁４１ｓｂとの間に角度θ１ｂをなしている。
このように、側方高坪量部４２の前端縁４２ａと、中央高坪量部４１の前方側縁４１ｓａとが角度θ１ａを成す部分を前方屈曲部Ｅaともいい、側方高坪量部４２の後端縁４１ｂと、中央高坪量部４１の後方側縁４１ｓｂとが角度θ１ｂを成す部分を後方屈曲部Ｅｂともいう。
【００２７】
また、図６に示すように、側方高坪量部４２より相対的に坪量が低い側方溝部４２ｄが中央高坪量部４１の側縁４１ｓに近接している場合、即ち、側方高坪量部４２の前端縁４２ａと、中央高坪量部４１の前方側縁４１ｓａとが縦側方溝部４２ｄｘを介して近接している場合、側方高坪量部４２の前端縁４２ａと、中央高坪量部４１の前方側縁４１ｓａとがなす角度は、前端縁４２ａの延長線と、中央高坪量部４１の前方側縁４１ｓ又は該前方側縁４１ｓａの延長線とがなす角度を意味する。これと同様に、側方高坪量部４２の後端縁４２ｂと、中央高坪量部４１の後方側縁４１ｓｂとが縦側方溝部４２ｄｘを介して近接している場合、側方高坪量部４２の後端縁４２ｂと、中央高坪量部４１の後方側縁４１ｓｂとがなす角度は、後端縁４２ｂの延長線と、中央高坪量部４１の後方側縁４１ｓｂ又は該後方側縁４１ｓｂの延長線とがなす角度を意味する。
【００２８】
また、本実施形態の中央高坪量部４１は、縦方向Ｘの前方及び後方それぞれに円弧状の前端縁４１ａと後端縁４１ｂとを有しており、横方向Ｙにおける該前端縁４１ａ及び後端縁４１ｂのそれぞれの両端から縦方向Ｘに延びる側縁４１ｓ，４１ｓを有している。このような中央高坪量部４１は、平面視における輪郭が略楕円形状であるが、中央高坪量部４１の側縁４１ｓ，４１ｓは、該中央高坪量部４１の輪郭において、縦方向Ｘに沿って延びる部分を、その側縁４１ｓ，４１ｓとする。
【００２９】
本発明の吸収性物品は、非肌側シート３側に突出する中央高坪量部４１と、横方向Ｙにおける中央高坪量部４１の両側それぞれに、該中央高坪量部４１よりも縦方向Ｘの長さが短い、一対の側方高坪量部４２とを有しており、更に、側方高坪量部４２の前端縁４２ａは、吸収性コア４０を平面視した際に、該前端縁４２ａより前方に位置する中央高坪量部４１の前方側縁４１ｓａに対して屈曲部を有しており、且つ側方高坪量部４２の後端縁４２ｂは、同様に該後端縁４２ｂより後方に位置する中央高坪量部４１の後方側縁４１ｓｂに対して屈曲部を有している。
本発明の吸収性物品は、中央高坪量部４１が非肌側シート３側に突出しているため非肌側シート３側に空間を有しておりクッション性に優れるのみならず、側方高坪量部４２が屈曲部を介して配置されているため、装着時に横方向Ｙからの外力を受けた際でも屈曲部によってその外力が緩和され中央高坪量部４１のヨレやシワの発生が防ぐことができ、中央高坪量部４１によるクッション性を保ち装着感に優れる。また、吸収性能の低下も防ぐこともできる。
【００３０】
本発明に係る中央高坪量部４１は非肌側シート３側に突出しているが、側方高坪量部４２は、非肌側シート３側に突出していても良く、肌側シート２側に突出していても良い。
図３に示すように、中央高坪量部４１及び側方高坪量部４２が何れも非肌側シート３側に突出している場合、吸収性物品が、厚み方向Ｚの肌側面側から非肌側面側に向かって圧縮され、且つ横方向Ｙの外方から内方に向かって圧縮されると、側方高坪量部４２は変形するが、屈曲部を介している中央高坪量部４１は変形し難く、その形状を容易に維持することができる（図７参照）。これにより、中央高坪量部４１において安定したクッション感と装着感を得ることができる。また、側方高坪量部４２の変形により、吸収性コア４０の側方高坪量部４２を含めた中央高坪量部４１の横方向外側が横方向Ｙにおける内方に寄せられるため、横方向Ｙにおける吸収性コア４０の中央部の吸収性能を高めることができる。
【００３１】
また、図４に示すように、中央高坪量部４１が非肌側シート３側に突出しており、側方高坪量部４２が肌側シート２側に突出している場合、吸収性物品が、横方向Ｙの外方から内方に向かって圧縮されると、中央高坪量部４１の両側縁から変形しやすいためフィット性が高まると共に、側方高坪量部４２は、内方側縁４２ｓｃ側が盛り上がるように変形するため、より高いクッション性を奏することができる（図８参照）。更に、肌側シート２側に突出した側方高坪量部４２により、吸収性物品の横方向Ｙにおける中央部に排泄された体液を容易に堰き止めることができるため、吸収性物品の横方向Ｙにおける漏れを効果的に抑制することができる（図８参照）。
【００３２】
側方高坪量部４２が横方向Ｙからの外力を受けた際でもその外力を緩和し中央高坪量部４１のヨレやシワの発生を防ぐ観点から、前方屈曲部Ｅａにおける角度θ１ａ及び後方屈曲部Ｅｂにおける角度θ１ｂはそれぞれ、好ましくは２０°以上、より好ましくは３０°以上であり、また好ましくは１６０°以下、より好ましくは１５０°以下であり、また好ましくは２０°以上１６０°以下、より好ましくは３０°以上１５０°以下である。前方屈曲部Ｅａ及び後方屈曲部Ｅｂにおける各角度θ１ａ，θ１ｂは同じであっても良く、それぞれ異なっていても良い。
ここで、中央高坪量部４１の前方側縁４１ｓａと、側方高坪量部４２の前端縁４２ａとが成す、前方屈曲部Ｅａの角度θ１ａは、以下の方法により定義される。図１０に示すように、前記前方側縁４１ｓａと、前記前端縁４２ａとのつなぎ目において、前方屈曲部Ｅａの最も奥側に位置する点Ｐを中心に、前記前端縁４２ａ上において該点Ｐから直線距離で１０ｍｍ離れた点をＰ１、前記前方側縁４１ｓａ上において該点Ｐから直線距離で１０ｍｍ離れた点をＰ２とする（図１０参照）。そして、線分Ｐ−Ｐ１と、線分Ｐ−Ｐ２とが成す角度を、前方屈曲部Ｅａの角度θ１ａとする（図１０参照）。これと同様に、後方屈曲部Ｅｂの最も奥側に位置する点Ｐ，後端縁４２ｂ上に点Ｐ１，後方側縁４１ｓｂ上に点Ｐ２を取り、線分Ｐ−Ｐ１と、線分Ｐ−Ｐ２とが成す角度を、後方屈曲部Ｅｂの角度θ１ｂとする（図１０参照）。
以下、前方屈曲部Ｅａの角度θ１ａ及び後方屈曲部Ｅｂの角度θ１ｂを纏めて、角度θ１ともいう。
【００３３】
吸収性コア４０の中央高坪量部４１の周辺に空間を生じさせ、クッション性を向上させる観点から、吸収性コア４０における中央高坪量部４１の厚みは、第一領域４０Ｆの厚みの、好ましくは１１０％以上３００％以下、より好ましくは１２０％以上２７０％以下である。また、中央高坪量部４１の厚みと第一領域４０Ｆの厚みとの厚みの差（前者−後者）は、好ましくは１．０ｍｍ以上１３．０ｍｍ以下、より好ましくは２．０ｍｍ以上７．０ｍｍ以下である。また、中央高坪量部４１の厚みは、好ましくは３．０ｍｍ以上１５．０ｍｍ以下、より好ましくは５．０ｍｍ以上１０．０ｍｍ以下である。
【００３４】
側方高坪量部４２の厚みは、中央高坪量部４１の厚みに比して小さいことが好ましい。これにより、側方高坪量部４２が外力を受けて変形しても中央高坪量部４１のヨレやシワの発生をより効果的に防ぐことができ、中央高坪量部４１によるクッション性を保ち、一層装着感に優れる。また、吸収性能の低下も防ぐこともできる。この観点から、側方高坪量部４２の厚みは、中央高坪量部４１の厚みに対して、好ましくは５０％以上、より好ましくは５５％以上であり、また好ましくは１００％以下、より好ましくは９５％以下である。
【００３５】
なお、中央高坪量部４１及び側方高坪量部４２の全範囲において上記厚みの関係になっていることが好ましいが、中央高坪量部４１及び側方高坪量部４２が、その厚み方向においてそれぞれ横方向Ｙ若しくは縦方向Ｘ又は、その両方向に漸次的な厚み増減が設けられているような場合においては、最も厚い部分において上記の関係となっていればよい。
【００３６】
第一領域４０Ｆの厚みは、後述する溝部４３のない部分において、好ましくは２．０ｍｍ以上７．０ｍｍ以下、より好ましくは３．０ｍｍ以上６．０ｍｍ以下である。ナプキン１では、第一領域４０Ｆの厚みは、後述する溝部４３が存在しない部分において、略均一に形成されていることが好ましいが、第一領域４０Ｆの横方向Ｙ又は縦方向Ｘに漸次的な厚みの増減が設けられているような場合においては、最も厚い部分において上記の関係となっていればよい。
また、第三領域４０Ｒの厚みは、上記第一領域４０Ｆの厚みの範囲であることが好ましい。
中央高坪量部４１、側方高坪量部４２、第一領域４０Ｆ及び第三領域４０Ｒの各部の厚みは、以下の方法によって測定される。
【００３７】
＜吸収性コア４０の各部の厚みの測定方法＞
吸収性コアを水平な場所にシワや折れ曲がりがないように静置し、該吸収性コア４０から測定対象物である各部を切り出す。そして、切り出した測定対象物における５ｃＮ／ｃｍ2の荷重下での厚みを測定する。具体的には、厚みの測定に、例えば、厚み計PEACOCK DIAL UPRIGHT GAUGES R5-C(OZAKI MFG.CO.LTD.製）を用いる。このとき、厚み計の先端部と切り出した測定対象物との間に、荷重が３．５ｃＮ／ｃｍ2となるように大きさを調整した平面視円形状又は正方形状のプレート（厚さ５ｍｍ程度の金属板）を配置して、厚みを測定する。吸収性コア４０における第一領域４０Ｆ等の厚みを測定する際には、後述する溝部４３を含まないように測定する。
【００３８】
ナプキン１では、吸収性コア４０における中央高坪量部４１の坪量は、中間区域Ｂにおける吸収性コアのクッション性を向上させる観点から、好ましくは３００ｇ／ｍ2以上９００ｇ／ｍ2以下、より好ましくは４５０ｇ／ｍ2以上８００ｇ／ｍ2以下である。中間区域Ｂにおいて側方高坪量部４２が変形しても中央高坪量部４１のヨレやシワの発生をより効果的に防ぐ観点から、側方高坪量部４２の坪量は、好ましくは１５０ｇ／ｍ2以上８００ｇ／ｍ2以下、より好ましくは２５０ｇ／ｍ2以上７００ｇ／ｍ2以下である。
吸収性コア４０における第一領域４０Ｆの坪量は、好ましくは１００ｇ／ｍ2以上５００ｇ／ｍ2以下、より好ましくは１５０ｇ／ｍ2以上４００ｇ／ｍ2以下である。また、第三領域４０Ｒの坪量は、第一領域４０Ｆの坪量の好ましい範囲と同じであることが好ましい。中央高坪量部４１、第一領域４０Ｆ及び第三領域４０Ｒの坪量は、上述した吸収性コア４０の各部の厚みの測定方法で説明したように切り出した対象測定物のサンプルの質量を、そのサンプルの肌側面側の面の面積で除して求める。
【００３９】
本発明の吸収性物品は、中央高坪量部４１と側方高坪量部４２が、平面視において重なっておらず、且つ中央高坪量部４１と側方高坪量部４２が横方向Ｙに近接して配置されていることが好ましい。これにより、側方高坪量部４２が外力を受けた際に、中央高坪量部４１と側方高坪量部４２の間で生じるヨレによって中央高坪量部４１の非肌側シート３側周囲の空間がなくなることをより効果的に防止でき、クッション性が維持されると共に吸収性物品全体のヨレも防止できる。
ここで、平面視において重なっておらず、且つ近接して配置されているとは、吸収性コア４０を平面視した際に、中央高坪量部４１の前方側縁４１ｓａと側方高坪量部４２の前端縁４２ａ、或いは中央高坪量部４１の後方側縁４１ｓｂと側方高坪量部４２の後端縁４２ｂの其々もしくは両方が交差せず且つ連続していることが好ましいが、上述の効果が発現できる程度に近接していれば良く、中央高坪量部４１と側方高坪量部４２とが縦側方溝部４２ｄｘを介して近接していても良い。例えば、本実施形態のように、中央高坪量部４１及び側方高坪量部４２が非肌側面側に突出している場合、縦側方溝部４２ｄｘを介して近接している形態と、該溝部４２ｄｘを介することなく中央高坪量部４１と側方高坪量部４２とが横方向Ｙに連続している形態とを含む。また、側方高坪量部４２が肌側面側に突出している場合、平面視、即ち厚み方向に投影した時に中央高坪量部４１の側縁４１ｓと側方高坪量部４２の内方側縁４２ｓｃとが隣接している形態と、側方溝部４２ｄｘを介して近接している形態とを含む。
上記の観点から縦側方溝部４２ｄｘの溝幅は、好ましくは０．１ｍｍ以上５．０ｍｍ以下、より好ましくは０．５ｍｍ以上３．０ｍｍ以下である。
【００４０】
吸収性物品を横方向Ｙの外方から内方に向かって圧縮した際、吸収性コア４０の中央高坪量部４１における変形を抑制し、クッション性をより向上させる観点から、中央高坪量部４１の縦方向Ｘの全長Ｌ２は、吸収性コア４０の縦方向Ｘの全長Ｌ１に対して、好ましくは２０％以上７０％以下、より好ましくは２５％以上５５％以下である。全長Ｌ１とは吸収性コア４０の縦方向Ｘにおける最も長い位置での距離を示し、全長Ｌ２とは中央高坪量部４１の縦方向Ｘにおける最も長い位置での距離を意味する（図９参照）。
また、上記と同様の観点から、縦方向Ｘにおける中央高坪量部４１の前方側縁４１ｓａの長さＬ１０は、中央高坪量部４１の縦方向Ｘの全長Ｌ２に対して、好ましくは１０％以上４０％以下、より好ましくは１５％以上３５％以下である（図９参照）。
また、上記と同様の観点から、縦方向Ｘにおける中央高坪量部４１の後方側縁４１ｓｂの長さＬ１１は、中央高坪量部４１の縦方向Ｘの全長Ｌ２に対して、好ましくは１０％以上４０％以下、より好ましくは１５％以上３５％以下である（図９参照）。
【００４１】
一対の側方高坪量部４２は、中央高坪量部４１よりも縦方向Ｘの長さが短い。前記クッション性をより向上させる観点から、側方高坪量部４２の縦方向Ｘの全長Ｌ３は、中央高坪量部４１の縦方向Ｘの全長Ｌ２に対して、好ましくは２０％以上８０％以下、より好ましくは３０％以上７０％以下である（図９参照）。全長Ｌ３とは側方高坪量部４２の縦方向Ｘにおける最も長い位置での距離を意味する。本実施形態において全長Ｌ３は、縦方向Ｘにおける側方高坪量部４２の内方側縁４２ｓｃの長さである。
【００４２】
吸収性コア４０のクッション性、及びヨレや皺の抑制効果をより向上させる観点から、中央高坪量部４１の横方向Ｙの全長Ｌ７は、吸収性コア４０の横方向Ｙの全長Ｌ６に対して、好ましくは２０％以上８０％以下、より好ましくは３０％以上７０％以下である。全長Ｌ６とは吸収性コア４０の横方向Ｙにおける最も長い位置での距離を示し、全長Ｌ７とは中央高坪量部４１の横方向Ｙにおける最も長い位置での距離を意味する（図９参照）。
上記と同様の観点から、側方高坪量部４４の横方向Ｙの全長Ｌ８は、中央高坪量部４１の横方向Ｙの全長Ｌ７に対して、好ましくは２０％以上８０％以下、より好ましくは３０％以上７０％以下である。全長Ｌ８とは側方高坪量部４２の横方向Ｙにおける最も長い位置での距離を意味する（図９参照）。
【００４３】
ナプキン１では、吸収性コア４０の中央高坪量部４１に中央溝部４１ｄｘ，４１ｄｙ、側方高坪量部４２に側方溝部４２ｄｘ，４２ｄｙ、高坪量部４１，４２以外に溝部４３Ｘ，４３Ｙが設けられている。これらの溝部の溝幅は、それぞれ異なっていても良いし、全て同じであっても良いが、溝部４１ｄ，４２ｄ，４３の溝幅は、吸収性コア４０のフィット性をより向上させ、クッション感を高める観点から、好ましくは０．１ｍｍ以上５．０ｍｍ以下、より好ましくは０．５ｍｍ以上３．０ｍｍ以下である。尚、溝部４１ｄ，４２ｄ，４３の溝幅及び後述する厚みは、溝部４１ｄ，４２ｄ，４３の延びる方向に直交する方向に切断し、切端面の写真から計測する。また、ナプキン１では、吸収性コア４０における溝部４１ｄ，４２ｄ，４３での厚みは、上記と同様の観点から、好ましくは０．０８ｍｍ以上７．０ｍｍ以下、より好ましくは、０．１５ｍｍ以上３．５ｍｍ以下である。
中央溝部４１ｄｘ，４１ｄｙ、及び側方溝部４２ｄｘ，４２ｄｙは、高坪量部４１，４２以外の坪量より低いことが好ましい。ここで、高坪量部以外の坪量とは、溝部４３を有する場合には、溝部４３を除いた部分の坪量を意味する。これらの溝部４１ｄ，４２ｄ，４３の坪量は、それぞれ異なっていても良いし、全て同じであっても良いが、溝部４１ｄ，４２ｄ，４３の坪量は、上記と同様の観点から、好ましくは１０ｇ／ｍ2以上３５０ｇ／ｍ2以下、より好ましくは２０ｇ／ｍ2以上２５０ｇ／ｍ2以下である。
尚、溝部４１ｄ，４２ｄ，４３の坪量は、上述した吸収性コア４０の各部の厚みの測定方法で説明したように切り出した溝部４３の部分のサンプルの質量を、そのサンプルの非肌側面側の面の面積で除して求める。
【００４４】
ナプキン１では、図１及び図３に示すように、肌側シート２と吸収性コア４０とが圧搾一体化され、肌側シート２の肌側面に、肌側シート２及び吸収体４が非肌側シート３側に向かって一体的に凹陥してなる線状圧搾溝７が形成されている。ナプキン１では、線状圧搾溝７は、図１に示すように、吸収体４の前方区域Ａ及び後方区域Ｃそれぞれに横方向Ｙに延びる横圧搾溝７１と、吸収体４の中間区域の縦方向Ｘに沿う両側部に縦方向Ｘに延びる縦圧搾溝７３とを有しており、全体として環状の全周溝となっている。
本実施形態のナプキン１のように、肌側シート２の肌側面に、該肌側シート２及び吸収性コア４０が非肌側シート３側に凹陥してなる圧搾溝７３（縦圧搾溝７３）が、縦方向Ｘに延在しており、中央高坪量部４１及び側方高坪量部４２，４２の少なくとも一方と重なる位置に、圧搾溝７３が形成されていると、ナプキン１がその横方向Ｙ両側から圧力を受けることで、該横方向に圧縮される際に、屈曲部による外力の緩和効果に圧搾溝７３による外力の緩和が加わり、中央高坪量部４１のヨレやシワの発生をより顕著に防ぐことができ、中央高坪量部４１によるクッション性を保ち装着感に優れる効果をより一層向上させることができる。
【００４５】
尚、線状圧搾溝７は、線状に延びていれば、溝の底部の厚みが一定であってもよく、溝の底部の厚みが一定でなくてもよい。線状圧搾溝７は、肌側シート２及び吸収体４に関して、構成部材である各々の繊維の密度が、該線状圧搾溝７の周囲部の密度よりも高くなっている。リング状の全周溝に形成された線状圧搾溝７は、吸収体４の平面方向への体液の拡散をより抑制し、ナプキン１の周囲から液漏れをより抑制することができる。
【００４６】
ナプキン１において、第一領域４０Ｆ及び第三領域４０Ｒに溝部４３及び小吸収部４６をそれぞれ有し、第二領域４０Ｍに中央高坪量部４１及び側方高坪量部４２とを有する吸収性コア４０は、その全体が一体成形されている。「一体成形されている」とは、別の工程で製造した部材どうしを接着剤や圧縮などの接合手段で結合したものとは異なり、同一の材料を用いて、一つの工程で一体的に形成されていることを意味する。
【００４７】
上述したナプキン１の吸収性コア４０は、図１１（ａ）に示すように、外周面に集積用凹部５５を備え、一方向Ｒに回転する積繊ドラム５４と、該積繊ドラム５４の外周面に、コア材料を飛散状態で供給するダクト（図示せず）を備えた積繊装置を用いて製造することができる。
集積用凹部５５は、積繊ドラム５４の外周面の周方向に一定の間隔で複数個形成されている。集積用凹部５５の底面５６は、メッシュプレート等からなり、吸引孔として機能する多数の細孔を有している。
【００４８】
また、図１１（ａ）に示すように、集積用凹部５５の底面５６の一部には、中央高坪量部４１及び側方高坪量部４２を形成するための凹部５６ｂが形成されている。凹部５６ｂの底部には、中央高坪量部４１を形成する部分と、側方高坪量部４２を形成する部分とで深さを異ならせてあり、また、中央高坪量部４１及び側方高坪量部４２にそれぞれ溝部４１ｄ，４２ｄを形成するための難通気性部材５７が配置されている。集積用凹部５５の底面５６の凹部５６ｂ，５６ｃ以外の部分には、溝部４３Ｘ，４３Ｙを形成するための難通気性部材５８が形成されている。難通気性部材５７，５８は、集積用凹部５５の底面から突出するように固定されており、非通気性部材であっても良く、例えば金属やプラスチック、セラミック等からなる。
【００４９】
積繊ドラムを備えた公知の積繊装置と同様に、集積用凹部５５の底面から吸引しつつ、ダクト内に、パルプ繊維等のコア材料を供給することによって、図１１（ｂ）に示すように、コア材料が集積用凹部５５内に所定形状に堆積する。その堆積物４００を、集積用凹部５５から離型することで、吸収性コア４０が得られる。吸収性コア４０は、コアラップシートで被覆する前又は被覆した後、一対のロール間に通すこと等により加圧し適度に圧縮させる。これにより、凹部５６ｂにおける、難通気性部材上に堆積したコア材料からなる部分が、坪量及び密度が相対的に小さい溝部４１ｄとなり、各凹部５６ｂにおける難通気性部材を有しない底面上に堆積した部分が、坪量及び密度が相対的に大きい中央小吸収部４１ｋとなる。同様に、凹部５６ｂ，５６ｃ以外の部分においては、難通気性部材５８上に堆積したコア材料からなる部分が、坪量及び密度が相対的に小さい溝部４３Ｘ，４３Ｙとなり、難通気性部材５８を有しない底面上に堆積した部分が、坪量及び密度が相対的に大きい小吸収部４６となる。吸水性ポリマーを含む吸収性コアを製造する場合、ダクトの途中に吸水性ポリマーの導入部を設けることが好ましい。
【００５０】
本実施形態の肌側シート２は、図１２に示すように、肌側面側に突出した高凸部２ｔ１が複数横方向に並んだ高凸部列２１Ｌと、高凸部２ｔ１よりも高さの低い低凸部２ｔ２が複数横方向に並んだ低凸部列２２Ｌとが、縦方向に交互に配置された高低凸部列領域４７を有している。詳述すると、中央高坪量部４１及び側方高坪量部４２が配される中間区域Ｂと、後方区域Ｃにおいて、肌側シート２の肌側面側に突出する高凸部２ｔ１が横方向Ｙに沿って複数配された高凸部列２１Ｌを形成しており、低凸部２ｔ２が横方向Ｙに沿って複数配された低凸部列２２Ｌを形成している。そして、図１２に示すように、高凸部列２１Ｌ及び低凸部列２２Ｌが縦方向Ｘに交互に配されている。本実施形態のナプキン１においては、肌側シート２の全面に高凸部列２１Ｌと低凸部列２２Ｌが存在しており、吸収性コア４０の全域と肌側シート２の高凸部列２１Ｌ及び低凸部列２２Ｌが平面視重なっている。一の高凸部列２１Ｌと、該一の高凸部列２１Ｌに隣接する一の低凸部列２２Ｌとの関係は、該一の高凸部列２１Ｌを構成する横方向Ｙに隣り合う高凸部２ｔ１，２ｔ１どうしの中間位置に、該一の低凸部列２２Ｌを構成する１個の低凸部２ｔ２が配されるようになっている。なお、図中のＸ方向は、肌側シート２の製造時の機械方向（ＭＤ方向）及びナプキン１の縦方向Ｘと同じ方向である。また、図中のＹ方向は、肌側シートの製造時の機械方向（ＭＤ方向）に直交する方向（ＣＤ方向）及びナプキン１の横方向Ｙと同じ方向である。
このように、肌側シート２が、肌側面側に突出した凸部を複数有していることにより、着用者の肌と該肌側シート２との間に隙間（空間）が生じるため、ナプキン１におけるクッション感を一層効果的に発現することができる。
斯かる観点から、少なくとも中央高坪量部４１と重なる領域に、肌側面側に突出する凸部を複数有する肌側シート２が配されていることが好ましく、側方高坪量部４２が非肌側面側に突出している場合は、少なくとも側方高坪量部４２と重なる領域に、肌側面側に突出する凸部を複数有する肌側シート２が配されていることが好ましい。また、これら高坪量部４１，４２の突出方向と関係なく、肌側面側に突出する凸部を複数有する肌側シート２が、中央高坪量部４１及び側方高坪量部４２と重なるように配されていることが好ましい。また、肌側シート２は、図１２のような凸部が複数配された凸部列の替わりに、凸部が縦方向Ｘもしくは横方向Ｙに連続しており、横方向Ｙもしくは縦方向Ｘに交互に配された構造であっても良い。
【００５１】
上述した本実施形態のナプキン１の各構成部材の形成材料については、当該技術分野で公知のものを使用することができる。非肌側シート３は、難透液性又は、不透過性を有することが好ましく、坪量が１０〜５０ｇ／ｍ2であり、厚さが、８〜２００μｍであることが好ましい。吸収性コア４０のコア材料は、パルプ繊維や吸水性ポリマーを使用することができる。また、吸収性コア４０には、消臭剤や抗菌剤等を必要に応じて配合しても良い。吸収性コア４０を被覆するコアラップシート（不図示）を使用する場合、ティッシュペーパー、透水性の不織布等が使用できる。サイドシート５としては、液不透過性又は撥水性の樹脂フィルム、樹脂フィルムと不織布との積層体等を用いることができる。サイドシート５と肌側シート２とを接合する接合部６は熱シール加工により常法に従って形成することができる。
【００５２】
以上、本発明をその好ましい実施形態に基づき説明したが、本発明の吸収性物品は本実施形態のナプキン１に何ら制限されるものではなく、適宜変更可能である。
例えば、本実施形態における吸収性コア４０は、中央高坪量部４１の縦方向Ｘに沿う両側縁それぞれから横方向Ｙ外方に延出して吸収性コア４０の縦方向Ｘに沿う両側縁にまで及ぶ側方高坪量部４２，４２とを有しているが、これに代えて、吸収性コア４０の縦方向Ｘに沿う両側縁にまで及ばない側方高坪量部４２，４２を有していても良い。即ち、側方高坪量部４２は、吸収性コア４０の縦方向Ｘに沿う両側縁にまで及ばなくても良い。
【００５３】
また、ナプキン１の吸収性コア４０は、中央高坪量部４１と側方高坪量部４２とが横方向Ｙにおいて連続していたが、これに代えて、中央高坪量部４１と側方高坪量部４２との間に、平面視における中央高坪量部４１又は側方高坪量部４２の輪郭に沿った溝部を有していても良い。
【００５４】
また、ナプキン１の吸収性コア４０は、その全体が一体成形されているが、これに代えて、第一領域４０Ｆから第三領域４０Ｒに亘って同じ高さにコア材料で形成しておき、次に、別のコア材料で形成されたものを配置して中央高坪量部４１又は側方高坪量部４２を形成してもよい。
また、ナプキン１の後方区域Ｃに後方高坪量部を有していても良く、該後方高坪量部が後方溝部を有していても良い。後方溝部も、有底である場合と貫通している場合の双方を含む。後方高坪量部は、前述の集積用凹部５５の底面５６の一部に設けられた凹部によって、また後方溝部は、該凹部に配置された難通気性部材によってそれぞれ形成することができる。
【符号の説明】
【００５５】
１  生理用ナプキン（吸収性物品）
Ａ  前方区域
Ｂ  中間区域
Ｃ  後方区域
２  肌側シート
３  非肌側シート
４  吸収体
４０  吸収性コア
４０Ｆ  吸収性コアの第一領域
４０Ｍ  吸収性コアの第二領域
４０Ｒ  吸収性コアの第三領域
４１  中央高坪量部
４１ｄ    中央溝部
４１ｄｘ  縦中央溝部
４１ｄｙ  横中央溝部
４１ｋ    中央小吸収部
４１ｓ    側縁
４１ｓａ    前方側縁
４１ｓｂ    後方側縁
４２    側方高坪量部
４２ｄ    側方溝部
４２ｄｘ  縦側方溝部
４２ｄｙ  横側方溝部
４２ｋ    側方小吸収部
４２ａ    前端縁
４２ｂ    後端縁
４５  高坪量部間隔領域
４６  小吸収部
５  サイドシート
６  接合部
７  線状圧搾溝
【図１】
2019024948.tif 000003
【図２】
2019024948.tif 000004
【図３】
2019024948.tif 000005
【図４】
2019024948.tif 000006
【図５】
2019024948.tif 000007
【図６】
2019024948.tif 000008
【図７】
2019024948.tif 000009
【図８】
2019024948.tif 000010
【図９】
2019024948.tif 000011
【図１０】
2019024948.tif 000012
【図１１】
2019024948.tif 000013
【図１２】
2019024948.tif 000014